【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
エステル、粘度指数向上剤、および硫黄を含有したリン含有化合物と硫黄を含有したリン含有化合物の塩のうちの少なくとも一つを含んで成る潤滑組成物。
【請求項２】
硫黄を含有した立体的に込みあったリン含有化合物が、化学式（ＩＩ）および（Ｖ）の化合物の少なくとも一つである請求項１に記載の組成物であって：
【化１】
2007131848.tif 000001
式中ｎは１から５の整数であり；また
このときＲ1、Ｒ2、Ｒ3、Ｒ4、Ｒ5、Ｒ6、Ｒ10、およびＲ11は、水素、シアノ、および約１から約３０の炭素原子を含んだヒドロカルビル基から成るグループから独立して選択される組成物。
【請求項３】
硫黄を含有したリン含有化合物の塩が化学式（ＩＩＩ）および（ＶＩ）の化合物の少なくとも一つである請求項１に記載の組成物であって：
【化２】
2007131848.tif 000002
式中ｎは１から５の整数であり；また
このときＲ1、Ｒ2、Ｒ3、Ｒ4、Ｒ5、Ｒ6、Ｒ7、Ｒ8、Ｒ9、Ｒ10、およびＲ11は水素、シアノ、および約１から約３０の炭素原子を含んだヒドロカルビル基から成るグループから独立して選択される組成物。
【請求項４】
さらにホウ素含有化合物を含む、請求項１に記載の組成物。
【請求項５】
さらに酸および窒素含有化合物を含み、このとき酸と窒素含有化合物のうち少なくとも一つが摩擦調整剤である請求項１に記載の組成物。
【請求項６】
請求項１に記載の組成物を潤滑剤として使用することを含んで成る、車のギアの潤滑方法。
【請求項７】
請求項１による組成物を車のギアに添加することを含んで成る、車のギアの摩耗保護性を向上させる方法。
【請求項８】
請求項１による組成物を車のギアに添加することを含んで成る、車のギアの燃料効率を向上させる方法。
【請求項９】
請求項１に記載の組成物を潤滑剤として使用することを含んで成る、車軸の潤滑方法。
【請求項１０】
請求項１による組成物を車軸に添加することを含んで成る、車軸の摩耗保護性を向上させる方法。
【請求項１１】
請求項１による組成物を車軸に添加することを含んで成る、車軸の燃料効率を向上させる方法。
【請求項１２】
請求項１に記載の組成物を潤滑剤として使用することを含んで成る、固定ギアボックスの潤滑方法。
【請求項１３】
請求項１による組成物を固定ギアボックスに添加することを含んで成る、固定ギアボックスの摩耗保護性を向上させる方法。
【請求項１４】
請求項１による組成物を固定ギアボックスに添加することを含んで成る、固定ギアボックスの燃料効率を向上させる方法。
【請求項１５】
請求項１による組成物でギアを潤滑することを含んで成る、ＡＳＴＭ  Ｄ５７０４に合格する方法。
【請求項１６】
請求項１による組成物でギアを潤滑することを含んで成る、潤滑されたギアセットおよび潤滑されていないギアセットにより、ＡＳＴＭ  Ｄ６１２１に合格する方法。
【請求項１７】
請求項１による組成物でギアを潤滑することを含んで成る、潤滑されていないギアセットにより、少なくとも約３２５°Ｆで少なくとも約１６時間ＡＳＴＭ  Ｄ６１２１に合格する方法。
【請求項１８】
請求項１による組成物でギアを潤滑することを含んで成る、ＧＬ−５および／またはＳＡＥ  Ｊ２３６０の性能を維持する方法。
【請求項１９】
エステル、粘度指数向上剤、また硫黄含有化合物とリン含有化合物と窒素含有化合物の反応生成物を含んで成る潤滑組成物。
【手続補正２】
【補正対象書類名】明細書
【補正対象項目名】００１６
【補正方法】変更
【補正の内容】
【００１６】
有用な亜リン酸塩の非限定的な例としては、ジブチルホスホン酸水素、ジイソブチルホスホン酸水素、ジオレイルホスホン酸水素、ジ（Ｃ14-18）ホスホン酸水素、亜リン酸トリフェニル、以下に示す化学式（Ｉ）の化合物のような亜リン酸ジヒドロカルビル、また化学式（ＩＶ）の化合物のようなポリマー性亜リン酸塩が含まれる。
【化１】
2007131848.tif 000003
式中ｎは、約１から約５の整数であり；また
Ｒ1、Ｒ2、Ｒ3、Ｒ4、Ｒ5、Ｒ6、Ｒ10、およびＲ11はそれぞれに、水素、シアノ、および約１つから約３０の炭素原子、例えば約１つから約２０の炭素原子、またさらなる例としては約１つから約１０の炭素原子を含むヒドロカルビル基から成るグループから選択できる。ある態様では、ｎが約５以上の整数である場合、いかなる特定の論理にも限定されることなく、反復単位は完全には硫化しないと考えられている。
【手続補正３】
【補正対象書類名】明細書
【補正対象項目名】００３６
【補正方法】変更
【補正の内容】
【００３６】
ある態様では、硫黄を含有したリン含有化合物は、化学式（ＩＩ）および（Ｖ）のうち少なくとも一つである：
【化３】
2007131848.tif 000004
式中ｎは約１から約５の整数であり；また
Ｒ1、Ｒ2、Ｒ3、Ｒ4、Ｒ5、Ｒ6、Ｒ10、およびＲ11は、水素、シアノ、および約１から約３０の炭素原子、例えば約１から約２０の炭素原子、そしてさらなる例としては約１から約１０の炭素原子を含んだヒドロカルビル基から成るグループから個々に選択される。
【手続補正４】
【補正対象書類名】明細書
【補正対象項目名】００５０
【補正方法】変更
【補正の内容】
【００５０】
硫黄を含有したリン含有化合物の塩は油溶性である。すなわち当該の塩のヒドロカルビル鎖は、結果として得られる化合物が調合された組成物に可溶であるよう、少なくとも６つの炭素原子分などの十分な長さをしている。疎水基を取り入れることにより、非分極性の媒体の可溶性が増加される。硫黄を含有したリン含有化合物の塩の非限定的な例に、ジイソブチルチオリン酸Ｃ8-16３級アルキル１級アミン塩、ジ−２−エチルヘキシル−チオリン酸Ｃ8-16３級アルキル１級アミン塩、およびネオペンチルグリコールチオリン酸Ｃ8-16３級アルキル１級アミン塩などが含まれる。ある態様では、ジチオリン酸の塩が熟考されている。別の態様では、硫黄を含有したリン含有化合物の塩は、以下に示す化学式（ＩＩＩ）および（ＶＩ）の化合物のうちの少なくとも一つである：
【化５】
2007131848.tif 000005
式中ｎは１から５の整数であり；また
Ｒ1、Ｒ2、Ｒ3、Ｒ4、Ｒ5、Ｒ6、Ｒ7、Ｒ8、Ｒ9、Ｒ10、およびＲ11は水素、シアノ、および約１から約３０の炭素原子、例えば約１から約２０の炭素原子、そしてさらなる例としては約１から約１０の炭素原子を含んだヒドロカルビル基から成るグループから個々に選択されている。ある態様では、化学式（ＶＩ）において、Ｒ1とＲ2はメチル；Ｒ3、Ｒ4、Ｒ5、Ｒ6、Ｒ7、およびＲ8は水素；Ｒ9はＣ12-14の３級アルキル基；またＲ10とＲ11は約１から約６の炭素原子から成るアルキル基である。ある態様では、化学式（ＩＩＩ）において、Ｒ3、Ｒ4、Ｒ5、Ｒ6、Ｒ7、およびＲ8は水素；Ｒ1とＲ2はメチル；またＲ9はＣ12-14の３級アルキル基である。
【手続補正５】
【補正対象書類名】明細書
【補正対象項目名】０１００
【補正方法】変更
【補正の内容】
【０１００】
本発明の主な特徴及び態様を挙げれば以下のとおりである。
１．エステル、粘度指数向上剤、および硫黄を含有したリン含有化合物と硫黄を含有したリン含有化合物の塩のうちの少なくとも一つを含んで成る潤滑組成物。
２．１００℃でのエステルの粘度が約２ｃＳｔまたはそれ以下である上記１に記載の組成物。
３．エステルの化学式がＲＣＯ2Ｒ1であり、式中Ｒが約４から約９の炭素原子を有するアルキルラジカルを含んで成り、またＲ1が約４から約１５の炭素原子を有するアルキルラジカルを含んで成る上記１に記載の組成物。
４．エステルが、イソノニル−２−エチルヘキサノエート、イソオクチル−２−エチルヘキサノエート、２−エチルヘキシル−２−エチルヘキサノエート、イソノニルヘプタノエート、イソノニルイソペンタノエート、イソオクチルヘプタノエート、イソノニルペンタノエート、イソオクチルイソペンタノエート、イソオクチルペンタノエート、オクチルペンタノエート、ノニルペンタノエート、デシルペンタノエート、オクチルヘプタノエート、ノニルヘプタノエート、デシルヘプタノエートおよびそれらの混合物のうち少なくとも一つを含んで成る上記１に記載の組成物。
５．粘度指数向上剤がポリアルファオレフィンである上記１に記載の組成物。
６．１００℃でのポリアルファオレフィンの粘度が約４０ｃＳｔから約１０００ｃＳｔである上記５に記載の組成物。
７．硫黄を含有した立体的に込みあったリン含有化合物が、化学式（ＩＩ）および（Ｖ）の化合物の少なくとも一つである上記１に記載の組成物であって：
【化６】
2007131848.tif 000006
式中ｎは１から５の整数であり；また
このときＲ1、Ｒ2、Ｒ3、Ｒ4、Ｒ5、Ｒ6、Ｒ10、およびＲ11は、水素、シアノ、および約１から約３０の炭素原子を含んだヒドロカルビル基から成るグループから独立して選択される組成物。
８．化学式（ＩＩ）において、Ｒ1とＲ2がメチル、またＲ3、Ｒ4、Ｒ5、およびＲ6が水素である上記７に記載の組成物。
９．硫黄を含有したリン含有化合物の塩が化学式（ＩＩＩ）および（ＶＩ）の化合物の少なくとも一つである上記１に記載の組成物であって：
【化７】
2007131848.tif 000007
式中ｎは１から５の整数であり；また
このときＲ1、Ｒ2、Ｒ3、Ｒ4、Ｒ5、Ｒ6、Ｒ7、Ｒ8、Ｒ9、Ｒ10、およびＲ11は水素、シアノ、および約１から約３０の炭素原子を含んだヒドロカルビル基から成るグループから独立して選択される組成物。
１０．化学式（ＩＩＩ）において、Ｒ3、Ｒ4、Ｒ5、Ｒ6、Ｒ7およびＲ8が水素であり、Ｒ1とＲ2がメチルであり、またＲ9がＣ12-14の３級アルキル基である上記９に記載の組成物。
１１．化学式（ＶＩ）において、Ｒ1、Ｒ2、Ｒ3、Ｒ4、Ｒ5、Ｒ6、Ｒ7およびＲ8が水素であり、Ｒ9がＣ12-14の第３級アルキル基であり、またＲ10とＲ11が約１から約６の炭素原子を含んで成るアルキル基である上記９に記載の組成物。
１２．さらに合成基油を含む、上記１に記載の組成物。
１３．合成基油がポリアルファオレフィンを含んで成る上記１２に記載の組成物。
１４．合成基油、粘度指数向上剤、およびエステルの組み合わせの粘度指数が約２００またはそれ以上である上記１２に記載の組成物。
１５．さらにガス・ツー・リキッド基油を含む、上記１に記載の組成物。
１６．さらにホウ素含有化合物を含む、上記１に記載の組成物。
１７．約５ｐｐｍから約５００ｐｐｍのホウ素を供給するだけの量のホウ素含有化合物が組成物中に存在する上記１６に記載の組成物。
１８．ホウ素含有化合物がホウ素化された窒素含有化合物である上記１６に記載の組成物。
１９．ホウ素含有化合物がホウ素化されたリン含有化合物である上記１６に記載の組成物。
２０．さらに酸および窒素含有化合物を含み、このとき酸と窒素含有化合物のうち少なくとも一つが摩擦調整剤である上記１に記載の組成物。
２１．酸が有機カルボン酸、有機亜リン酸、有機スルホン酸、無機リン酸、およびそれらの混合物のうち少なくとも一つから選択された摩擦調整剤である上記２０に記載の組成物。
２２．有機亜リン酸が、ジアルキル亜リン酸、モノアルキル亜リン酸、ジアルキルジチオ亜リン酸、ジアルキルチオ亜リン酸、リン酸アミル酸、２−エチルヘキシル酸リン酸塩、およびそれらの混合物のうち少なくとも一つである上記２１に記載の組成物。
２３．窒素含有化合物が摩擦調整剤、およびＣ8-16の第３級１級アルキルアミンの混合物である上記２０に記載の組成物。
２４．上記１に記載の組成物を潤滑剤として使用することを含んで成る、車のギアの潤滑方法。
２５．上記１による組成物を車のギアに添加することを含んで成る、車のギアの摩耗保護性を向上させる方法。
２６．上記１による組成物を車のギアに添加することを含んで成る、車のギアの燃料効率を向上させる方法。
２７．上記１に記載の組成物を潤滑剤として使用することを含んで成る、車軸の潤滑方法。
２８．上記１による組成物を車軸に添加することを含んで成る、車軸の摩耗保護性を向上させる方法。
２９．上記１による組成物を車軸に添加することを含んで成る、車軸の燃料効率を向上させる方法。
３０．上記１に記載の組成物を潤滑剤として使用することを含んで成る、固定ギアボックスの潤滑方法。
３１．上記１による組成物を固定ギアボックスに添加することを含んで成る、固定ギアボックスの摩耗保護性を向上させる方法。
３２．上記１による組成物を固定ギアボックスに添加することを含んで成る、固定ギアボックスの燃料効率を向上させる方法。
３３．上記１による組成物でギアを潤滑することを含んで成る、ＡＳＴＭ  Ｄ５７０４に合格する方法。
３４．上記１による組成物でギアを潤滑することを含んで成る、潤滑されたギアセットおよび潤滑されていないギアセットにより、ＡＳＴＭ  Ｄ６１２１に合格する方法。
３５．上記１による組成物でギアを潤滑することを含んで成る、潤滑されていないギアセットにより、少なくとも約３２５°Ｆで少なくとも約１６時間ＡＳＴＭ  Ｄ６１２１に合格する方法。
３６．上記１による組成物でギアを潤滑することを含んで成る、ＧＬ−５および／またはＳＡＥ  Ｊ２３６０の性能を維持する方法。
３７．エステル、粘度指数向上剤、また硫黄含有化合物とリン含有化合物と窒素含有化合物の反応生成物を含んで成る潤滑組成物。